(57)【要約】【課題】正しい正確な歯磨きの方法の音声が放送される教育効能を具える歯ブラシを提供すること。【解決手段】底板に歯及び歯の根の清潔に用いられる複数のブラシ毛が植え付けられてあるブラシ毛部、細ブラシ毛部の底板に連接される棒部及び電池セットを収納する収納部とを含むグリップ部、少なくとも一つの電池を含む電池セット、言葉処理機能を有するプロセッサーを含む電気回路、正確な歯磨きの方法の言葉を記憶したメモリー、それはプロセッサーからの言葉信号を受信し、記憶された音声を放送するスピーカとを含む。【選択図】図１
0003158216.tif 000002
【実用新案登録請求の範囲】
【請求項１】
教育効能を具える歯ブラシであって、
ブラシ毛部、グリップ部、電池セット、電気回路およびスピーカを含み、
前記ブラシ毛部は底板を備え、該底板には歯及び歯の根の清潔に用いられる複数のブラシ毛が上側から植え付けられてあり、
前記グリップ部は細い棒部及び収納部を含み、
前記細い棒部はブラシ毛部の底板に連接され、
前記収納部は細い棒部の下側に連接され、
前記電池セットは収納部の収容空間内に収容される少なくとも一つの電池を含み、
前記電気回路はプロセッサーを含み、該プロセッサーは言葉の処理機能と、正確な歯磨きの方法を言葉で記憶できるメモリーとを備え、
前記スピーカは前記プロセッサーからの言葉の信号を受信し、記憶された歯磨き方法の音声を放送し、
歯ブラシ側辺に設けたスイッチをオンするとプロセッサーが始動し、正確な歯磨き方法を教える音声がスピーカを通じて放送されることを特徴とする教育効能を具える歯ブラシ。
【請求項２】
前記磨きの方法はベイ氏歯磨き法であることを特徴とする請求項１記載の教育効能を具える歯ブラシ。
【請求項３】
前記正確な歯磨き方法を教える音声が放送される同時に、バックグランドミュージックを放送できる請求項１記載の教育効能を具える歯ブラシ。
【請求項４】
前記歯ブラシにはさらにディスプレー、ブラシ植え板および圧力感知器を含み、
前記ディスプレーはプロセッサーに接続され、各種必要なデータ及び図形を現すことができ、
前記ブラシ植え板は底板の上表面の凹溝内に位置し、ブラシ毛はそのブラシ毛植え板に植え付けられ、ブラシ植え板はゆるい配合によって底板の凹溝内に取り付けられ、
前記圧力感知器はブラシ毛植え板の下底面及び凹溝の上側に位置して、ブラシ毛植え板が受けた圧力を感知し、
歯磨き時に、ブラシ毛植え板はブラシ毛からの圧力を感知し、その圧力をプロセッサーに伝送し、プロセッサーで処理された圧力がディスプレーに示され、かつスピーカによってブラシ圧力の過大、または過小を音声に出して注意喚起のために数値が読み出されることを特徴とする請求項１記載の教育効能を具える歯ブラシ。
【請求項５】
前記収納部はねじ付け部を備え、ねじ機構により収納部を取り外して電池を交換可能に構成したことを特徴とする請求項１記載の教育効能を具える歯ブラシ。
【請求項６】
前記収納部の側辺には開口蓋を設け、該開口蓋を開けることによって電池を交換可能に構成したことを特徴とする請求項１記載の教育効能を具える歯ブラシ。
【請求項７】
前記ブラシは電気ブラシであることを特徴とする請求項１記載の教育効能を具える歯ブラシ。
【考案の詳細な説明】
【技術分野】
【０００１】
本考案は歯ブラシ(brush)に関するもので、特に歯を磨く動作を音声放送して、歯磨きをする者が音声案内にしたがって歯ブラシを動かすことで、正確な歯磨きができる教育効能を具える歯ブラシ(brush)に関するものである。
【背景技術】
【０００２】
歯磨きは人々の日常生活中で必要な動作である。人々は毎日一回〜三回程度歯を磨いて口腔の衛生を保持している。ところが、歯磨きは単純に歯ブラシを動かし、歯の表面に沿って無作為に滑り動かすことではない。歯ブラシを無作為に滑り動かす方法にあっては、すべての歯がきれいに磨かれず、そのため残渣が永遠にそこに溜まり、長くなるとばい菌が発生して口腔が不衛生になり、虫歯等の問題が発生する。
【考案の概要】
【考案が解決しようとする課題】
【０００３】
上記したように如何にして効果的に歯を磨けるかは、養成を必要とする慣習のひとつである。特に子供が自分で歯磨きを習い始めるときに、適正な磨き方を教えてやれば、一生歯磨きの利益を受けることができる。
一方、国外ではすでに歯を有効に清潔する「ベイ氏歯磨き法」が提唱されている。
しかしながら、この磨き方は子供たちが一回限りの教え方で有効な歯磨きを習得できる方法ではない。最も良い方法は歯磨きする子供たちの傍らで、注意を払いながら子供たちへ声の指導によって歯ブラシを動かし方を教示することである。
仮に、歯ブラシの動かし方を人が指導する場合は、かなりの時間を要するだけでなく、必ずしも正しい磨き方が身につくとはいいきれない。
【０００４】
本考案は以上の点に鑑みて成されたもので、その目的とするところは、歯ブラシにより歯磨きの動作を放送し、歯磨きする人は放送された音声によって歯ブラシを動かし、正確に歯を磨くことができる教育効能を具える歯ブラシを提出することである。さらに本考案は歯ブラシにより歯磨き時の圧力を感知することができ、並びに感知した圧力値を表し、使用者に正確な力を使うよう注意を与えられる教育効能を具える歯ブラシを提出することである。
【課題を解決するための手段】
【０００５】
本考案は教育効能を具える歯ブラシであって、ブラシ毛部、グリップ部、電池セット、電気回路およびスピーカを含み、前記ブラシ毛部は底板を備え、該底板には歯及び歯の根の清潔に用いられる複数のブラシ毛が上側から植え付けられてあり、前記グリップ部は細い棒部及び収納部を含み、前記細い棒部はブラシ毛部の底板に連接され、前記収納部は細い棒部の下側に連接され、前記電池セットは収納部の収容空間内に収容される少なくとも一つの電池を含み、前記電気回路はプロセッサーを含み、該プロセッサーは言葉の処理機能と、正確な歯磨きの方法を言葉で記憶できるメモリーとを備え、前記スピーカは前記プロセッサーからの言葉の信号を受信し、記憶された歯磨き方法の音声を放送し、歯ブラシ側辺に設けたスイッチをオンするとプロセッサーが始動し、正確な歯磨き方法を教える音声がスピーカを通じて放送されることを特徴とする。
前記磨きの方法はベイ氏歯磨き法が好ましい。
また前記正確な歯磨き方法を教える音声が放送される同時に、バックグランドミュージックを放送できるように構成してもよい。
さらに、歯ブラシにはさらにディスプレー、ブラシ植え板および圧力感知器を含み、前記ディスプレーはプロセッサーに接続され、各種必要なデータ及び図形を現すことができ、前記ブラシ植え板は底板の上表面の凹溝内に位置し、ブラシ毛はそのブラシ毛植え板に植え付けられ、ブラシ植え板はゆるい配合によって底板の凹溝内に取り付けられ、前記圧力感知器はブラシ毛植え板の下底面及び凹溝の上側に位置して、ブラシ毛植え板が受けた圧力を感知し、歯磨き時に、ブラシ毛植え板はブラシ毛からの圧力を感知し、その圧力をプロセッサーに伝送し、プロセッサーで処理された圧力がディスプレーに示され、かつスピーカによってブラシ圧力の過大、または過小を音声に出して注意喚起のために数値が読み出されるようにしてもよい。
前記収納部はねじ付け部を備え、ねじ機構により収納部を取り外して電池を交換可能に構成してもよいし、前記収納部の側辺には開口蓋を設け、該開口蓋を開けることによって電池を交換可能に構成してもよい。
前記ブラシは電気ブラシであることが望ましい。
【考案の効果】
【０００６】
本考案は、歯ブラシから正しい歯磨きの動作が音声放送されるため、歯磨きする人は音声にしたがって歯ブラシを動かすだけで、正確に歯を磨くことができる。
さらに本考案は歯ブラシにより歯磨き時の圧力を感知して使用者に正確な力を使うよう注意を与えられるので、使用者は歯ブラシの動かし方だけでなく、ブラシを歯に押し付ける圧力も適正に保ちながら歯磨きをすることができる。
【図面の簡単な説明】
【０００７】
【図１】本考案に係る歯ブラシの第一の実施例の分解図である。
【図２】本考案に係る歯ブラシの第一の実施例の組み合わせ図である。
【図３】本考案に係る歯ブラシの第二の実施例の分解図である。
【図４】本考案に係る歯ブラシの第二の実施例の組み合わせ図である。
【図５】本考案に係る歯ブラシの第三の実施例を示す。
【考案を実施するための形態】
【０００８】
以降に図面を参照しながら本考案の好適な形態について説明する。
尚、各図面中の二点鎖線は構成部材の連結関係を示すものである。
【０００９】
図１と図２は本考案の教育効能を具える歯ブラシの第一実施例を示す。
【００１０】
その歯ブラシはブラシ毛部10、グリップ部(grip)、電池セット(set)40、電気回路およびスピーカ(speaker)を含む。
【００１１】
ブラシ毛部10は底板11を備え、それには歯及び歯の根の清潔に用いられる複数のブラシ毛12が上側から植え付けられてある。
【００１２】
グリップ(grip)部は細い棒部20及び収納部30を含む。
【００１３】
細い棒部20はブラシ毛部10の底板11に連接される。
【００１４】
収納部30は細い棒部20の下側に連接される。一般的に収納部30の断面積は細い棒部20より遥かに大きい。収納部30は収容空間31を含む。収容空間31は外部部材の収納に用いられる。本実施例に於いて前記収納部30の上側にはねじ部32を備えていて、ねじ機構によって収納部30を取り外し、電池40を交換することができる。
【００１５】
電池セット40は前記収容空間31内に位置し、電池セットは最少一つの電池を含み、その他部材の動力を提供する。
【００１６】
電気回路はプロセッサー(processor)51を含む。プロセッサー51は言葉を処理する機能を備える。メモリー(memory)52は歯磨き方法のための言葉を記憶することができる。
【００１７】
スピーカ(speaker)60は、前記プロセッサーからの言葉信号を受信し、記憶された音声を放送する。
【００１８】
スイッチ(switch)33は収納部30の側部に位置し、歯ブラシの電源のオンオフにに用いられる。
【００１９】
本考案は更に次のソフトウェアー(software)機能を含む。
使用者が本考案の歯ブラシを使う場合、歯ブラシ側辺のスイッチをオンにするとプロセッサーが始動し、子供たちに正確な歯磨き方法を教える音声が発声され、スピーカを通じて放送される。正確な歯磨き方法としては、例えばベイ氏歯磨き法が最適である。
【００２０】
さらに本考案は、子供たちに正確な歯磨きの方法の音声を放送するのと同時に、バックグランドミュージックを放送するようにしてもよい。
【００２１】
図３及び図４に第二の実施例に係る歯ブラシの分解図及び組み合わせ図を示す。
第二の実施例に於いては、以上に説明した第一の実施例に係る歯ブラシの構成および機能に加えて更に、ディスプレー(display)70、ブラシ植え板13、圧力感知器80を含むものである。
【００２２】
ディスプレー(display)70はプロセッサーに接続され、各種必要なデータ及び図形を現すことができる。
【００２３】
ブラシ植え板13は底板11の上表面の凹溝14内に位置する。ブラシ毛12はそのブラシ毛植え板13に植え付けられる。ブラシ植え板13はゆるい配合によって底板の凹溝14内に取り付けられる。凹溝14の開口はやや狭いのでブラシ毛植え板13が凹溝14からの脱落を防ぐことができる。
【００２４】
圧力感知器80は、ブラシ毛植え板13の下底面及び凹溝14の上側に位置し、ブラシ毛植え板13が受けた圧力の感知に用いられる。
歯磨き時にブラシ毛植え板13はブラシ毛12からの圧力を感知し、その圧力をプロセッサー51に伝送する。プロセッサー51に処理されたらディスプレー70に圧力が示され、かつスピーカ60によって数値を読み出す。プロセッサー51はさらに使用者に圧力が大きすぎる、または小さすぎると音声を出して注意を与える。
【００２５】
図５に第三の実施例に係る歯ブラシの組み合わせ図を示す。
第三の実施例に係る歯ブラシは収納部30にねじ機構を使わず、かわりに収納部の側部に開口蓋33を備えるものである。開口蓋33を開けると電池を交換することができる。
【００２６】
本考案の歯ブラシは電気歯ブラシにも適用することができる。
【００２７】
上記した詳細な説明は本考案の実施例に関する説明であり、本考案は実施例に限定されるものではなく、およそ本考案の技術思想を離脱しない範囲で行った同等効果の実施または変更は、すべて本考案に含まれるべきことは勿論である。
【図１】
0003158216.tif 000003
【図２】
0003158216.tif 000004
【図３】
0003158216.tif 000005
【図４】
0003158216.tif 000006
【図５】
0003158216.tif 000007
【手続補正書】
【提出日】平成22年1月18日(2010.1.18)
【手続補正１】
【補正対象書類名】実用新案登録請求の範囲
【補正対象項目名】全文
【補正方法】変更
【補正の内容】
【実用新案登録請求の範囲】
【請求項１】
教育効能を具える歯ブラシであって、
ブラシ毛部、グリップ部、電池セット、電気回路およびスピーカを含み、
前記ブラシ毛部は底板を備え、該底板には歯及び歯の根の清潔に用いられる複数のブラシ毛が上側から植え付けられてあり、
前記グリップ部は細い棒部及び収納部を含み、
前記細い棒部はブラシ毛部の底板に連接され、
前記収納部は細い棒部の下側に連接され、
前記電池セットは収納部の収容空間内に収容される少なくとも一つの電池を含み、
前記電気回路はプロセッサーを含み、該プロセッサーは言葉の処理機能と、正確な歯磨きの方法を言葉で記憶できるメモリーとを備え、
前記スピーカは前記プロセッサーからの言葉の信号を受信し、記憶された歯磨き方法の音声を放送し、
歯ブラシ側辺に設けたスイッチをオンするとプロセッサーが始動し、正確な歯磨き方法を教える音声がスピーカを通じて放送されることを特徴とする教育効能を具える歯ブラシ。
【請求項２】
前記正確な歯磨き方法を教える音声が放送される同時に、バックグランドミュージックを放送できる請求項１記載の教育効能を具える歯ブラシ。
【請求項３】
前記歯ブラシにはさらにディスプレー、ブラシ植え板および圧力感知器を含み、
前記ディスプレーはプロセッサーに接続され、各種必要なデータ及び図形を現すことができ、
前記ブラシ植え板は底板の上表面の凹溝内に位置し、ブラシ毛はそのブラシ毛植え板に植え付けられ、ブラシ植え板はゆるい配合によって底板の凹溝内に取り付けられ、
前記圧力感知器はブラシ毛植え板の下底面及び凹溝の上側に位置して、ブラシ毛植え板が受けた圧力を感知し、
歯磨き時に、ブラシ毛植え板はブラシ毛からの圧力を感知し、その圧力をプロセッサーに伝送し、プロセッサーで処理された圧力がディスプレーに示され、かつスピーカによってブラシ圧力の過大、または過小を音声に出して注意喚起のために数値が読み出されることを特徴とする請求項１記載の教育効能を具える歯ブラシ。
【請求項４】
前記収納部はねじ付け部を備え、ねじ機構により収納部を取り外して電池を交換可能に構成したことを特徴とする請求項１記載の教育効能を具える歯ブラシ。
【請求項５】
前記収納部の側辺には開口蓋を設け、該開口蓋を開けることによって電池を交換可能に構成したことを特徴とする請求項１記載の教育効能を具える歯ブラシ。
【請求項６】
前記ブラシは電気ブラシであることを特徴とする請求項１記載の教育効能を具える歯ブラシ。